(57)【要約】【課題】ＴナットがＴ溝に対して直角に位置付けることを可能にする位置付け治具を提供すること。【解決手段】位置付け治具１０は、アルミフレームのＴ溝にＴナットを適切に位置付ける。位置付け治具１０は、Ｔナットを挿入するＴ溝の面をアルミフレームの上面としたとき、上面と直交するアルミフレームの一方の側面に接触する接触ブロック１１を備える。接触ブロック１１は、上面のＴ溝内に挿入されているＴナットの高さと対応する位置にＴナットを引き寄せる磁石１３が備えられている。【選択図】図４
2020082262.tif 000002
【特許請求の範囲】
【請求項１】
アルミフレームのＴ溝にＴナットを適切に位置付ける位置付け治具であって、
該位置付け治具は、
Ｔナットを挿入するＴ溝の面をアルミフレームの上面としたとき、
該上面と直交する該アルミフレームの一方の側面に接触する接触ブロック、を備え、
該接触ブロックは、
該上面の該Ｔ溝内に挿入されている該Ｔナットの高さと対応する位置に該Ｔナットを引き寄せる磁石が備えられている事を特徴とする、位置付け治具。
【請求項２】
該接触ブロックと連結し、該側面の該Ｔ溝に挿入される方向に延在する挿入ブロックを更に備え、
該挿入ブロックには該Ｔナットを該側面方向に引き寄せる磁石が備えられている事を特徴とする請求項１に記載の位置付け治具。
【請求項３】
少なくとも該接触ブロックを一対備え、
一方の接触ブロックの長手方向と他方の接触ブロックの長手方向とが直交する状態で、これら一対の接触ブロック同士を連結する連結部を備えることを特徴とする請求項１または請求項２に記載の位置付け治具。
【発明の詳細な説明】
【技術分野】
【０００１】
本発明は、アルミフレームのＴ溝にＴナットを適切に位置付ける位置付け治具に関する。
【背景技術】
【０００２】
一般的に加工装置の骨組みとしてアルミフレームが用いられる。このアルミフレームに別部品を取り付ける際には、アルミフレームに形成されている凸型のＴ溝に凸型のＴナット挿入し、Ｔナットに部材をねじ止めする技術が知られている（例えば、特許文献１参照）。
【先行技術文献】
【特許文献】
【０００３】
【特許文献１】特開２０１３−０７２８１８号公報
【発明の概要】
【発明が解決しようとする課題】
【０００４】
アルミフレームに形成されている凸型のＴ溝に凸型のＴナット挿入し、Ｔナットに部材をねじ止めする際、この際、Ｔナットが外れたりずれたりすることを防ぐため、Ｔ溝が延在する方向に対して直角に固定される必要があるが、Ｔナットの幅とアルミフレームのＴ溝との関係によってはＴ溝に対して斜めになった状態でねじを締めてしまう可能性があった。
【０００５】
本発明は、上記に鑑みてなされたものであって、ＴナットがＴ溝に対して直角に位置付けることを可能にする位置付け治具を提供することを目的とする。
【課題を解決するための手段】
【０００６】
上述した課題を解決し、目的を達成するために、本発明に係る位置付け治具は、アルミフレームのＴ溝にＴナットを適切に位置付ける位置付け治具であって、該位置付け治具は、Ｔナットを挿入するＴ溝の面をアルミフレームの上面としたとき、該上面と直交する該アルミフレームの一方の側面に接触する接触ブロック、を備え、該接触ブロックは、該上面の該Ｔ溝内に挿入されている該Ｔナットの高さと対応する位置に該Ｔナットを引き寄せる磁石が備えられている事を特徴とする。
【０００７】
該接触ブロックと連結し、該側面の該Ｔ溝に挿入される方向に延在する挿入ブロックを更に備え、該挿入ブロックには該Ｔナットを該側面方向に引き寄せる磁石が備えられていてもよい。
【０００８】
一対の該接触ブロック及び該挿入ブロックを２組備え、一方の一対の該接触ブロック及び該挿入ブロックの長手方向と、他方の一対の該接触ブロック及び該挿入ブロックの長手方向とが直交していてもよい。
【発明の効果】
【０００９】
本発明に係る位置付け治具は、ＴナットがＴ溝に対して直角に位置付けることを可能にするという効果を奏する。
【図面の簡単な説明】
【００１０】
【図１】図１は、実施形態に係る位置付け治具を使用するアルミフレームの一例を示す斜視図である。
【図２】図２は、図１のアルミフレームを示す側面図である。
【図３】図３は、図１のＴ溝及びＴ溝に挿入されたＴナットを示す部分側面図である。
【図４】図４は、実施形態に係る位置付け治具の一例を示す上面図である。
【図５】図５は、図４の位置付け治具の一部を示す斜視図である。
【図６】図６は、図４の位置付け治具の使用形態の一例を示す側面図である。
【図７】図７は、図４の位置付け治具の使用形態の一例を示す上面図である。
【図８】図８は、図４の位置付け治具の使用形態の別の一例を示す側面図である。
【図９】図９は、図４の位置付け治具の使用形態の別の一例を示す上面図である。
【図１０】図１０は、図４の位置付け治具の変形例の一部を示す斜視図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態〕
図１は、実施形態に係る位置付け治具を使用するアルミフレームの一例を示す斜視図である。図２は、図１のアルミフレームを示す側面図である。図３は、図１のＴ溝及びＴ溝に挿入されたＴナットを示す部分側面図である。
【００１３】
アルミフレーム１００は、図１に示すように、直線状に形成され、長手方向Ｚ１に延びて形成された略正方形柱状である。なお、以下、図１中矢印Ｘ１で示す長手方向Ｚ１に直交する方向を幅方向Ｘ１と記し、図１中矢印Ｙ１で示す長手方向Ｚ１及び幅方向Ｘ１の双方に直交する方向を厚み方向Ｙ１と記す。アルミフレーム１００は、図２に示すように、長手方向Ｚ１に対する直交する幅方向Ｘ１及び厚み方向Ｙ１を含む断面において概ね正方形状を有している。
【００１４】
アルミフレーム１００は、図１及び図２において、長手方向Ｚ１及び幅方向Ｘ１の双方と平行な上面１０１と、上面１０１と直交しかつ長手方向Ｚ１及び厚み方向Ｙ１の双方と平行な一方の側面１０２と、上面１０１と直交しかつ長手方向Ｚ１及び厚み方向Ｙ１の双方と平行な他方の側面１０３と、上面１０１と平行でかつ上面１０１とは反対側の下面１０４と、を有する。
【００１５】
アルミフレーム１００の上面１０１には、Ｔ溝１０５が形成されている。アルミフレーム１００の側面１０２には、Ｔ溝１０６が形成されている。アルミフレーム１００の側面１０３には、Ｔ溝１０７が形成されている。アルミフレーム１００の下面１０４には、Ｔ溝１０８が形成されている。
【００１６】
アルミフレーム１００の幅方向Ｘ１及び厚み方向Ｙ１の中央には、中央フレーム部１０９が長手方向Ｚ１に延びて設けられている。中央フレーム部１０９は、Ｔ溝１０５、Ｔ溝１０６、Ｔ溝１０７及びＴ溝１０８の底部を形成している。
【００１７】
Ｔ溝１０５、Ｔ溝１０６、Ｔ溝１０７及びＴ溝１０８は、いずれも、幅方向Ｘ１及び厚み方向Ｙ１に平行な断面において、互いに同形状に形成され、凸型、すなわち逆Ｔ字状に形成されており、長手方向Ｚ１に延びて形成されている。Ｔ溝１０５、Ｔ溝１０６、Ｔ溝１０７及びＴ溝１０８は、長手方向Ｚ１のいずれの箇所においても、断面形状が同一に形成されている。
【００１８】
Ｔ溝１０５は、上面１０１の幅方向Ｘ１の中央に設けられ、Ｔ溝１０６は、一方の側面１０２の厚み方向Ｙ１の中央に設けられ、Ｔ溝１０７は、他方の側面１０３の厚み方向Ｙ１の中央に設けられ、Ｔ溝１０８は、下面１０４の幅方向Ｘ１の中央に設けられている。
【００１９】
Ｔ溝１０５，１０６，１０７，１０８は、上面１０１、一方の側面１０２、他方の側面１０３及び下面１０４に開口しかつ長手方向Ｚ１に延びた開口部１０５−１と、開口部１０５−１と連通して設けられ、開口部１０５−１よりも中央フレーム部１０９寄りの幅広部１０５−２と、を有する。幅広部１０５−２は、幅方向Ｘ１の幅が開口部１０５−１よりも広く形成されている。開口部１０５−１は、上面１０１から深さＤ１までの領域に設けられ、幅広部１０５−２は、開口部１０５−１よりも上面１０１から深い領域に、上面１０１から深さＤ２となるまでの領域に設けられている。また、アルミフレーム１００の各角は、角取処理が施されている。
【００２０】
Ｔ溝１０５、Ｔ溝１０６、Ｔ溝１０７及びＴ溝１０８には、長手方向Ｚ１から、図３に示すように、互いに嵌め合わせ可能な凸型の形状を有するＴナット２０が挿入されて配置される。以下において、図３を用いて、Ｔ溝１０５にＴナット２０が挿入されて配置された例について詳細な説明するが、Ｔ溝１０５と同一の形状を有するＴ溝１０６、Ｔ溝１０７及びＴ溝１０８についても同様であるので、Ｔ溝１０６、Ｔ溝１０７及びＴ溝１０８にＴナット２０が挿入されて配置される例についての説明を適宜省略する。
【００２１】
Ｔナット２０は、頭部２１と、頭部２１に連なる首下部２２とを備え、少なくとも頭部２１が、磁石によって引き寄せられる磁性材料で形成されている。Ｔナット２０は、首下部２２が、磁性材料で形成されていてもよい。Ｔナット２０の頭部２１の幅方向Ｘ１及び厚み方向Ｙ１を含む断面形状における大きさは、幅広部１０５−２より若干小さく形成されている。Ｔナット２０の首下部２２の長手方向Ｚ１に直交する方向の大きさは、開口部１０５−１の幅より若干小さく形成されている。
【００２２】
Ｔナット２０は、頭部２１が幅広部１０５−２内に収容され、かつ首下部２２が開口部１０５−１内に通されて、アルミフレーム１００に取り付けられる。Ｔナット２０は、頭部２１と首下部２２との間に形成されている段差部が、Ｔ溝１０５の開口部１０５−１と幅広部１０５−２との間に形成されている段差部に係り止めされることで、Ｔ溝１０５に挿入された状態でアルミフレーム１００から脱落することが防止される。
【００２３】
Ｔナット２０は、頭部２１及び首下部２２にわたって、Ｔナット２０の軸方向に沿ってねじ孔が貫通している。ねじ孔は、ボルト３０のネジ部３２が螺合する。Ｔナット２０は、ねじ孔にボルト３０のネジ部３２が螺合し、頭部２１とボルト３０の頭部３１との間で、開口部１０５−１の外側の開口端１１１と部材４０とを挟み込むことにより、部材４０をアルミフレーム１００に固定する。
【００２４】
図４は、実施形態に係る位置付け治具の一例を示す上面図である。図５は、図４の位置付け治具の一部を示す斜視図である。
【００２５】
位置付け治具１０は、アルミフレーム１００のＴ溝１０５にＴナット２０を適切に位置付けるための治具である。位置付け治具１０は、図４に示すように、一対の接触ブロック１１，１５と、一対の挿入ブロック１２，１６と、一対の接触ブロック１１，１５同士連結する連結部１９とを備える。接触ブロック１１，１５は、平面形状が略矩形状の厚手の平板状に形成されている。連結部１９は、一方の接触ブロック１１の長手方向Ｘ２と、他方の接触ブロック１５の長手方向Ｙ２とが互いに直交する状態で、一対の接触ブロック１１，１５同士連結している。
【００２６】
一方の接触ブロック１１及び挿入ブロック１２と、他方の接触ブロック１５及び挿入ブロック１６とが同等の構成であるので、本明細書は、以下において、図４及び図５を用いて、一方の接触ブロック１１及び挿入ブロック１２と、一方の接触ブロック１１及び挿入ブロック１２にそれぞれ設けられた磁石１３及び磁石１４とが使用される場合を代表してその詳細を説明する。
【００２７】
接触ブロック１１は、図４及び図５に示すように、位置付け治具１０がアルミフレーム１００に対して使用される際に、アルミフレーム１００に対して接触する接触面１１０を有する。
【００２８】
接触ブロック１１は、Ｔナット２０を挿入するＴ溝１０５の面を上面１０１としたとき、接触面１１０を、上面１０１と直交するアルミフレーム１００の一方の側面１０２または他方の側面１０３に接触して使用される。また、接触ブロック１１は、接触面１１０を、Ｔナット２０を挿入するＴ溝１０６が設けられる一方の側面１０２に対して直交するアルミフレーム１００の上面１０１または下面１０４に接触して使用される。また、接触ブロック１１は、接触面１１０を、Ｔナット２０を挿入するＴ溝１０７が設けられる他方の側面１０３に対して直交するアルミフレーム１００の上面１０１または下面１０４に接触して使用される。また、接触ブロック１１は、接触面１１０を、Ｔナット２０を挿入するＴ溝１０８が設けられる下面１０４に対して直交するアルミフレーム１００の一方の側面１０２または他方の側面１０３に接触して使用される。
【００２９】
挿入ブロック１２は、接触面１１０がアルミフレーム１００の側面１０２に対して接触している際に、接触面１１０が接触しているアルミフレーム１００の一方の側面１０２に設けられたＴ溝１０６に挿入される部分である。すなわち、挿入ブロック１２は、接触面１１０が接触しているアルミフレーム１００の一方の側面１０２に設けられたＴ溝１０６に挿入される方向に延在して設けられている。
【００３０】
挿入ブロック１２は、具体的には、接触面１１０から突出して接触ブロック１１と連結して設けられている。挿入ブロック１２は、接触面１１０からの突出が、接触面１１０が接触しているアルミフレーム１００の一方の側面１０２に設けられたＴ溝１０６の深さより若干小さくなるように形成されている。本実施形態において、挿入ブロック１２の長手方向は、当該挿入ブロック１２が連結した接触ブロック１１の長手方向Ｘ２と平行である。
【００３１】
挿入ブロック１２は、接触ブロック１１において、長手方向Ｘ２に延在する接触面１１０と、長手方向Ｘ２に延在する挿入ブロック１２が配設されている領域と、が幅方向Ｙ２に並設されている。
【００３２】
接触ブロック１１における挿入ブロック１２が設けられた領域は、アルミフレーム１００における一方の側面１０２に設けられたＴ溝１０６が設けられた領域に対応する。このため、このような構成を有する挿入ブロック１２は、位置付け治具１０がアルミフレーム１００に対して使用される際に、アルミフレーム１００の側面１０２に設けられたＴ溝１０６と、接触面１１０に直交する方向に対向するので、Ｔ溝１０６に好適に挿入され、位置付け治具１０のアルミフレーム１００への取り付けを安定化させる。
【００３３】
接触ブロック１１は、本実施形態では、接触面１１０において窪みを有し、接触面１１０の窪みに丁度嵌め込まれる大きさを有する磁石１３が、接触面１１０の窪みに嵌め込まれて備えられている。なお、磁石１３は、接触面１１０の窪みに嵌め込まれた形態に限定されず、接触ブロック１１の内部の接触面１１０付近の位置に設けられてもよい。接触面１１０は、磁石１３が備えられた状態で、面一の状態を形成しているため、アルミフレーム１００と接触面１１０とを接触させた際に安定するので好ましい。
【００３４】
図６は、図４の位置付け治具の使用形態の一例を示す側面図である。図７は、図４の位置付け治具の使用形態の一例を示す上面図である。図６及び図７は、いずれも、実施形態に係る位置付け治具１０における一対の接触ブロック１１及び挿入ブロック１２の方を用いて、上記したアルミフレーム１００に部材４０を固定した使用形態である。
【００３５】
図６及び図７に示す例では、アルミフレーム１００の上面１０１のＴ溝１０５に２本のＴナット２０を挿入し、Ｔナット２０を部材４０に設けられた２箇所の貫通孔４１にそれぞれ挿通させ、２本のＴナット２０にそれぞれ設けられたネジ穴に２本のボルト３０のネジ部３２をそれぞれねじ合わせすることで、アルミフレーム１００の上面１０１に部材４０を貫通孔４１が設けられた２箇所で固定している。
【００３６】
接触ブロック１１は、上面１０１のＴ溝１０５内に挿入されているＴナット２０の高さと対応する位置に、Ｔナット２０を引き寄せる磁石１３が備えられている。具体的には、磁石１３は、図６に示すように、Ｔナット２０の頭部２１と幅方向Ｘ１に並ぶ位置に配置されている。このような構成を有する磁石１３は、図６及び図７に示すように、位置付け治具１０がアルミフレーム１００に対して使用される際に、アルミフレーム１００の上面１０１に設けられたＴ溝１０５内に挿入されているＴナット２０の頭部２１と、接触面１１０に直交する方向に対向するので、磁性材料で形成されたＴナット２０の頭部２１を側面１０２の方向に磁力で引き寄せる。
【００３７】
接触ブロック１１は、本実施形態では、２つの磁石１３が、部材４０の２箇所の貫通孔４１の位置に対応してアルミフレーム１００の長手方向Ｚ１に間隔を開けて配置された２本のＴナット２０の位置と対応する位置に、接触ブロック１１の長手方向Ｘ２に間隔を開けて配置されているため、２本のＴナット２０の頭部２１の両方を好適に側面１０２の方向に磁力で引き寄せることができるため、好ましい。なお、接触ブロック１１は、本発明ではこの態様に限定されず、磁石１３が、位置付け治具１０がアルミフレーム１００に対して使用される際に、アルミフレーム１００に使用されたＴナット２０の頭部２１と、接触面１１０に直交する方向に対向する領域に設けられていれば、どのような形態であってもよい。例えば、接触ブロック１１は、長手方向Ｘ２の任意の２箇所に磁石１３が備えられた形態に限定されず、長手方向Ｘ２の任意の３箇所以上に磁石１３が備えられた形態でもよく、長手方向Ｘ２に延在して磁石１３が備えられた形態でもよい。
【００３８】
挿入ブロック１２は、図４及び図５に示すように、本実施形態では、略直方体状に形成されている。挿入ブロック１２は、接触面１１０がある方向に向けられた面、すなわち、磁石１３がある方向に向けられた面である磁石面１２０において、磁石１４が設けられている。挿入ブロック１２は、本実施形態では、磁石面１２０において窪みを有し、磁石面１２０の窪みに丁度嵌め込まれる大きさを有する磁石１４が、磁石面１２０の窪みに嵌め込まれて備えられている。なお、磁石１４は、磁石面１２０の窪みに嵌め込まれた形態に限定されず、挿入ブロック１２の内部の磁石面１２０付近の位置に設けられてもよい。磁石面１２０は、磁石１４が備えられた状態で、面一の状態を形成しているため、アルミフレーム１００と接触面１１０とを接触させた際に安定するので好ましい。
【００３９】
このような構成を有する磁石１４は、図６及び図７に示すように、位置付け治具１０がアルミフレーム１００に対して使用される際に、挿入ブロック１２において、アルミフレーム１００の上面１０１に設けられたＴ溝１０５内に挿入されているＴナット２０の頭部２１に近接した位置にくるので、磁性材料で形成されたＴナット２０の頭部２１を側面１０２の方向に磁力で引き寄せる。
【００４０】
挿入ブロック１２は、本実施形態では、２つの磁石１４が、部材４０の２箇所の貫通孔４１の位置に対応してアルミフレーム１００の長手方向Ｚ１に間隔を開けて配置された２本のＴナット２０の位置と対応する位置に、接触ブロック１１の長手方向Ｘ２に間隔を開けて配置されているため、２本のＴナット２０の頭部２１の両方を好適に側面１０２の方向に磁力で引き寄せることができるため、好ましい。なお、挿入ブロック１２は、本発明ではこの態様に限定されず、磁石１４が、位置付け治具１０がアルミフレーム１００に対して使用される際に、アルミフレーム１００に使用されたＴナット２０の頭部２１に近接した位置にくる領域に設けられていれば、どのような形態であってもよい。例えば、挿入ブロック１２は、長手方向Ｘ２の任意の２箇所に磁石１４が備えられた形態に限定されず、長手方向Ｘ２の任意の３箇所以上に磁石１４が備えられた形態でもよく、長手方向Ｘ２に延在して磁石１４が備えられた形態でもよい。
【００４１】
実施形態に係る位置付け治具１０は、Ｔナット２０を挿入したＴ溝１０５の上面１０１と直交し、かつ、隣接する一方の側面１０２における上面１０１側の領域に、位置付け治具１０の接触ブロック１１における接触面１１０を接触させることにより、接触面１１０に設けられた磁石１３を、Ｔ溝１０５に挿入したＴナット２０の頭部２１と、接触面１１０に直交する方向に対向させる。これにより、実施形態に係る位置付け治具１０は、磁石１３が、磁性材料で形成されたＴナット２０の頭部２１を接触面１１０の方向に磁力で引き寄せることで、Ｔナット２０がＴ溝１０５に対して直角に位置づけることを可能にするという効果を奏する。
【００４２】
また、実施形態に係る位置付け治具１０は、側面１０２における上面１０１側の領域に接触面１１０を接触させると同時に、挿入ブロック１２を側面１０２のＴ溝１０６に挿入させることにより、アルミフレーム１００−２の側面１０２及びＴ溝１０６と、位置付け治具１０の接触ブロック１１及び挿入ブロック１２とが嵌め合わされた状態とする。これにより、実施形態に係る位置付け治具１０は、アルミフレーム１００に安定して取り付けられるという効果を奏する。
【００４３】
実施形態に係る位置付け治具１０は、挿入ブロック１２を側面１０２のＴ溝１０６に挿入させることにより、挿入ブロック１２の磁石面１２０に設けられた磁石１４を、Ｔ溝１０５に挿入したＴナット２０の頭部２１と近接させる。これにより、実施形態に係る位置付け治具１０は、磁石１４が、磁性材料で形成されたＴナット２０の頭部２１を磁石面１２０の方向に磁力で引き寄せることで、Ｔナット２０がＴ溝１０５に対してより好適に直角に位置づけることを可能にするという効果を奏する。
【００４４】
さらに、実施形態に係る位置付け治具１０は、磁石１３における接触面１１０に向けられた磁極と、磁石１４における磁石面１２０に向けられた磁極と、が等しいことが好ましく、この場合、磁石１３と磁石１４とが互いの磁力に関する磁束の密度を互いに高め合うことで、Ｔナット２０の頭部２１に対しての誘引力を高めることができる。
【００４５】
図８は、図４の位置付け治具の使用形態の別の一例を示す側面図である。図９は、図４の位置付け治具の使用形態の別の一例を示す上面図である。図８及び図９は、いずれも、実施形態に係る位置付け治具１０における一対の接触ブロック１１及び挿入ブロック１２の方を用いて、アルミフレーム１００の変形例であるアルミフレーム１００−２に部材４０を固定した使用形態である。
【００４６】
アルミフレーム１００−２は、図８及び図９に示すように、アルミフレーム１００が幅方向Ｘ１に２本並べられて、一方のアルミフレーム１００の他方の側面１０３と、他方のアルミフレーム１００の一方の側面１０２とが除去されて、２本のアルミフレーム１００の上面１０１同士が同一平面状に連結され、かつ、２本のアルミフレームの下面１０４同士が同一平面状に連結されて一体化したものである。すなわち、アルミフレーム１００−２は、２本のアルミフレーム１００を備えている。アルミフレーム１００−２は、一方のアルミフレーム１００側に、位置付け治具１０により部材４０が固定される。以下において、アルミフレーム１００−２の各部には、対応するアルミフレーム１００の各部と同じ符号を付し、その詳細な説明を省略する。
【００４７】
図８及び図９に示す例では、アルミフレーム１００−２の２本のアルミフレーム１００のうち一方のアルミフレーム１００の上面１０１のＴ溝１０５にＴナット２０を挿入し、Ｔナット２０を部材４０に設けられた貫通孔４１に挿通させ、Ｔナット２０に設けられたネジ穴にボルト３０のネジ部３２をねじ合わせすることで、アルミフレーム１００−２の一方のアルミフレーム１００の上面１０１に部材４０を固定している。実施形態に係る位置付け治具１０は、位置付け治具１０を構成する各部が、アルミフレーム１００−２に部材４０を固定した使用形態においても、上記したアルミフレーム１００に部材４０を固定した使用形態と同様の位置関係を取り、同様の作用及び効果を奏する。
【００４８】
接触ブロック１５は、図４に示すように、接触ブロック１１が接触面１１０を有する形態と同様の形態で、接触面１５０を有する。挿入ブロック１６は、挿入ブロック１２が接触ブロック１１において設けられる形態と同様の形態で、接触ブロック１５において設けられる。接触ブロック１５は、接触ブロック１１が接触面１１０において磁石１３が設けられる形態と同様の形態で、接触面１５０において磁石１７が設けられる。挿入ブロック１６は、挿入ブロック１２が磁石面１２０において磁石１４が設けられる形態と同様の形態で、磁石面１６０において磁石１８が設けられる。
【００４９】
また、位置付け治具１０は、連結部１９により、挿入ブロック１２に対して接触面１１０がある側と、挿入ブロック１６に対して接触面１５０がある側とが、共にＬ字状の直角の内側に配置されるように、連結されている。すなわち、挿入ブロック１２における磁石面１２０と、挿入ブロック１６における磁石面１６０とが、共にＬ字状の直角の内側に向けられて、連結されている。また、位置付け治具１０は、連結部１９により、接触面１１０に対して挿入ブロック１２が設けられている側と、接触面１５０に対して挿入ブロック１６が設けられている側とが、共にＬ字状の直角の外側に配置されるように、連結されている。また、位置付け治具１０は、連結部１９により、接触ブロック１１の接触面１１０と、接触ブロック１５の接触面１５０とが、同一平面上に来るように連結されている。
【００５０】
位置付け治具１０は、連結部１９が以上のような構成を有するので、２個のアルミフレーム１００がいずれか１つの面を共有して長手方向が互いに直交してＬ字状等に組み立てられた場合に、一方のアルミフレーム１００における当該共有した面に対して一対の接触ブロック１１及び挿入ブロック１２が使用され、他方のアルミフレーム１００における当該共有した面に対して一対の接触ブロック１５及び挿入ブロック１６が使用され、２個のアルミフレーム１００の内側の領域に好適に部材４０を固定することができる。
【００５１】
また、位置付け治具１０は、連結部１９のうち、アルミフレーム１００と対向する領域が、接触ブロック１１の接触面１１０及び接触ブロック１５の接触面１５０と同一平面上に来るように、または、接触ブロック１１の接触面１１０及び接触ブロック１５の接触面１５０よりも凹んで形成されていることが好ましい。
【００５２】
図１０は、図４の位置付け治具の変形例の一部を示す斜視図である。変形例に係る位置付け治具１０−２は、図１０に示すように、位置付け治具１０と比較して、挿入ブロック１２及び磁石１４が設けられておらず、図示は省略されているが、位置付け治具１０と比較して、そう乳ブロック１６及び磁石１８が設けられていないこと以外、位置付け治具１０構成が同等である。変形例に係る位置付け治具１０−２では、位置付け治具１０と同一部分に同一符号を付して説明を省略する。
【００５３】
位置付け治具１０−２は、上記するような構成を有しているので、位置付け治具１０と比較して、挿入ブロック１２または挿入ブロック１６の挿入による位置付け治具１０のアルミフレーム１００への取り付けの安定化作用と、磁石１４または磁石１８による磁性材料で形成されたＴナット２０の頭部２１の磁力での引き寄せ作用はなくなるものの、その他の位置付け治具１０のアルミフレーム１００に対して使用する際の作用効果を有するので、簡便な構造で、十分にアルミフレーム１００に対して好適に使用することができる。位置付け治具１０−２は、挿入ブロック１２及び挿入ブロック１６が設けられていないので、アルミフレーム１００の付近のスペースが狭いために位置付け治具１０を使用しようとすると挿入ブロック１２及び挿入ブロック１６が取り付けの邪魔をしてしまうような場合に、好適に用いることができる。
【００５４】
なお、本発明は、上記実施形態等の記載に制限されず種々変更して実施可能である。その他、上記実施形態に係る構造、方法等は、本発明の目的の範囲を逸脱しない限りにおいて適宜変更して実施できる。
【００５５】
例えば、実施形態に係る位置付け治具１０は、非磁性の材料であるアルミニウムで形成されたアルミフレーム１００に対して使用するものとしたが、本発明はこれに限定されず、その他の非磁性の材料で形成されたフレームに対しても使用することができる。
【００５６】
また、実施形態に係る位置付け治具１０は、Ｔナット２０を挿入するＴ溝１０５の上面１０１と直交するアルミフレーム１００の一方の側面１０２に接触して使用されるものとしたが、本発明はこれに限定されず、Ｔナット２０を挿入するＴ溝１０５の上面１０１と隣接し、なおかつ、上面１０１と直交しないアルミフレーム１００の面に接触して使用される形態であってもよい。
【符号の説明】
【００５７】
１０，１０−２  位置付け治具
１１，１５  接触ブロック
１２，１６  挿入ブロック
１３，１４，１７，１８  磁石
２０  Ｔナット
２１  頭部
３０  ボルト
４０  部材
１００，１００−２  アルミフレーム
１０１  上面
１０２，１０３  側面
１０４  下面
１０５，１０６，１０７，１０８  Ｔ溝
１１０，１５０  接触面
１２０，１６０  磁石面
【図１】
2020082262.tif 000003
【図２】
2020082262.tif 000004
【図３】
2020082262.tif 000005
【図４】
2020082262.tif 000006
【図５】
2020082262.tif 000007
【図６】
2020082262.tif 000008
【図７】
2020082262.tif 000009
【図８】
2020082262.tif 000010
【図９】
2020082262.tif 000011
【図１０】
2020082262.tif 000012